(57)【要約】【課題】抜型のチェース上での位置合わせ及び、チェース上への取り付けや取り外しが容易で、安価に構成しうる抜型ユニットを提供する。【解決手段】抜型２０を、その周縁部において、片面粘着テープ３０によって、チェース１０に固定する。【選択図】図１
0003197991.tif 000002
【実用新案登録請求の範囲】
【請求項１】
チェースと前記チェース上に固定された抜型とを有する抜型ユニットであって、
前記抜型が、周縁部において片面粘着テープによって前記チェース上に固定されていることを特徴とする抜型ユニット。
【請求項２】
前記抜型が、表板と前記表板に積層された裏板と打ち抜き刃とを有し、前記打ち抜き刃が少なくとも表板を貫通して刃先が表板側に露出していることを特徴とする請求項１に記載の抜型ユニット。
【請求項３】
前記表板と前記裏板とが両面粘着テープを介して積層されており、前記打ち抜き刃が前記表板のみ貫通しており、前記打ち抜き刃と裏板との間には前記両面粘着テープが介在していないことを特徴とする請求項２に記載の抜型ユニット。
【請求項４】
前記打ち抜き刃が、裏板まで貫通していることを特徴とする請求項２に記載の抜型ユニット。
【請求項５】
前記表板の周縁部が切り欠かれて前記裏板の表板側表面が露出しており、前記片面粘着テープが、前記裏板の露出した表板側表面から前記チェース上にわたって貼付され、前記抜型が前記チェース上に固定されていることを特徴とする請求項２乃至４のいずれか１項に記載の抜型ユニット。
【請求項６】
前記抜型の平面形状が矩形であり、前記表板が切り欠かれた前記周縁部が前記表板の四隅であり、前記片面粘着テープが、前記裏板の露出した表板側表面を跨いで貼付され、前記抜型が前記チェース上に固定されていることを特徴とする請求項５に記載の抜型ユニット。
【請求項７】
前記抜型が、エッチング刃型であることを特徴とする請求項１に記載の抜型ユニット。
【考案の詳細な説明】
【技術分野】
【０００１】
本考案は、紙やフィルム等のシート体を所定の形状に打ち抜く場合に用いられる抜型ユニットに関する。
【背景技術】
【０００２】
紙やフィルム等のシート体から所定の形状のシート片を得る方法として、プレス機により打ち抜く方法が従来行われている。プレス機には、打ち抜くシート片の形状に成形された打ち抜き刃を備えた抜型を、打ち抜き刃の刃先がシート体に向くようにチェースと呼ばれる基材に取り付けてなる抜型ユニットが取り付けられている。そして、打ち抜くシート片の形状に応じて抜型が交換される。
【０００３】
従来、抜型をチェースに固定する際には接着剤や両面粘着テープが用いられていたが、精密な位置合わせがしづらい、抜型を取り外しにくいといった問題があったため、磁石を備えた固定具によって抜型をチェースに係止する方法が提案されている（特許文献１参照）。
【先行技術文献】
【特許文献】
【０００４】
【特許文献１】特開２０１３−１０３２８２号公報
【考案の概要】
【考案が解決しようとする課題】
【０００５】
特許文献１に開示された固定具は、樹脂や鋼板等からなる支持部及び係止部と、磁石と、支持部を磁石に取り付けるためのねじや接着剤とからなることや、固定具の磁石の厚さと抜型の係止部の高さとを一致させるために、抜型の高さに合わせた厚さの磁石を用意する、或いは、磁石の厚さに合わせて係止部を抜型に形成する必要があることなどから、コストがかかるという問題があった。
【０００６】
本考案の課題は、抜型のチェース上での位置合わせ及び、抜型のチェース上への取り付けや取り外しが容易で、さらには安価に構成しうる抜型ユニットを提供することにある。
【課題を解決するための手段】
【０００７】
本考案は、チェースと前記チェース上に固定された抜型とを有する抜型ユニットであって、
前記抜型が、周縁部において片面粘着テープによって前記チェース上に固定されていることを特徴とする。
【０００８】
本考案においては、下記の構成を好ましい形態として含む。
前記抜型が、表板と前記表板に積層された裏板と打ち抜き刃とを有し、前記打ち抜き刃が少なくとも表板を貫通して刃先が表板側に露出している。係る形態において、前記表板と前記裏板とが両面粘着テープを介して積層されており、前記打ち抜き刃が前記表板のみ貫通しており、前記打ち抜き刃と前記裏板との間には前記両面粘着テープが介在していない、或いは、前記打ち抜き刃が、裏板まで貫通している。また、前記表板の周縁部が切り欠かれて前記裏板の表板側表面が露出しており、前記片面粘着テープが、前記裏板の露出した表板側表面から前記チェース上にわたって貼付され、前記抜型が前記チェース上に固定されている。特に、前記表板が切り欠かれた前記周縁部が前記表板の四隅であり、前記片面粘着テープが、前記裏板の露出した表板側表面を跨いで貼付され、前記抜型が前記チェース上に固定されている。
前記抜型が、エッチング刃型である。
【考案の効果】
【０００９】
本考案によれば、抜型をチェース上に固定するために、片面粘着テープを用いるだけでよいため、安価に構成することができる。また、抜型をチェース上で位置合わせした後に片面粘着テープを貼付して抜型を固定すればよいため、精密な位置合わせを行うことができる。さらには、片面粘着テープは容易に剥がすことができるため、チェース上に固定した抜型は容易に取り外すことができ、抜型の交換作業が容易になる。
【図面の簡単な説明】
【００１０】
【図１】本考案の抜型ユニットの好ましい一実施形態の構成を模式的に示す図であり、（ａ）は平面図、（ｂ）は（ａ）中のＡ−Ａ’断面図である。
【図２】本考案の抜型ユニットの他の実施形態の構成を模式的に示す平面図である。
【図３】本考案の抜型ユニットの他の実施形態の構成を模式的に示す図であり、（ａ）は平面図、（ｂ）は（ａ）中のＡ−Ａ’断面図である。
【図４】本考案の抜型ユニットの他の実施形態の構成を模式的に示す平面図である。
【図５】本考案の抜型ユニットの他の実施形態の構成を模式的に示す図であり、（ａ）は平面図、（ｂ）は（ａ）中のＡ−Ａ’断面図である。
【図６】本考案の抜型ユニットの他の実施形態の構成を模式的に示す断面図である。
【図７】本考案の抜型ユニットの他の実施形態の構成を模式的に示す図であり、（ａ）は平面図、（ｂ）は（ａ）中のＡ−Ａ’断面図である。
【考案を実施するための形態】
【００１１】
以下、図面を参照して本発明の実施形態を説明するが、本発明は下記実施形態に限定されない。また、以下に参照する図面において、同じ符号は同様の構成要素を示す。
【００１２】
本考案は、チェース上に抜型を固定してなり、プレス機に取り付けられてシート体の打ち抜きに用いられる抜型ユニットである。
【００１３】
図１は、本考案の抜型ユニットの好ましい一実施形態の構成を模式的に示す図である。図１に示すように、本考案の抜型ユニットは、チェース１０の上に、抜型２０を固定させてなり、係る固定には片面粘着テープ３０を用いる。図１の例においては、片面粘着テープ３０は、抜型２０の周縁部において、抜型２０の表板２２の上面から抜型２０の側面を介してチェース１０の上面にわたって貼付される。即ち、チェース１０上で抜型２０の位置合わせを行った後に片面粘着テープ３０を所望の位置に貼付して抜型２０をチェース１０上に固定させる。本考案において、片面粘着テープ３０は、従来の両面粘着テープのように、抜型２０とチェース１０との間に介在しない。よって、位置合わせの際に抜型２０がチェース１０の上面に固着することがなく、精密な位置合わせを容易に行うことができる。また、片面粘着テープ３０は取り外しが容易であり、容易に抜型２０をチェース１０上から取り外すことができる。
【００１４】
本考案において用いられる片面粘着テープ３０は、市販されている片面粘着テープを好ましく用いることができ、寸法や粘着性に応じて適宜選択される。
【００１５】
図１の例では、平面形状が矩形の抜型２０において、相対する一対の端辺を覆うように片面粘着テープ３０が貼付されているが、本考案ではこれに限定されない。例えば、図２（ａ）に示すように、相対する一対の端辺を片面粘着テープ３０で覆った後に、さらに、係る端辺に直交する、相対する一対の端辺を片面粘着テープ３０で覆っても良い。また、図２（ｂ）に示すように、平面形状が矩形の抜型２０の四隅のそれぞれを跨ぐように片面粘着テープ３０を貼付しても良い。
【００１６】
図１の例では、抜型２０として、表板２２と該表板２２に両面粘着テープ２４を介して積層された裏板２１とを有し、該表板２２を貫通して打ち抜き刃２３が取り付けられ、打ち抜き刃２３の刃先が表板２２側に露出している、ゼンマイ刃型或いはトムソン刃型と呼ばれる形態を示した。このような抜型２０では、表板２２としては通常アクリル板が用いられ、裏板２１としてはアクリル板やアルミ板が用いられる。打ち抜き刃２３は、表板２２に掘られた溝にはめ込んで固定されている。
【００１７】
係る抜型２０を用いた場合、図３に示すように、表板２２の周縁部を一部切り欠いて裏板２１の表板側表面を露出させ、露出した裏板２１の表面に片面粘着テープ３０を貼付して抜型２０をチェース１０に固定させても良い。係る形態では、片面粘着テープ３０を貼付する抜型２０の上面が裏板２１の表面であるため、片面粘着テープ３０が貼付される段差が図１の形態よりも小さくなり、片面粘着テープ３０を貼付しやすくなり、貼付する際に抜型２０が位置ずれを起こす恐れも小さくなる。
【００１８】
図３は、図１と同様に、平面形状が矩形の抜型２０において、表板２２の相対する一対の端辺周辺を切り欠いて、露出した裏板２１表面に片面粘着テープ３０を貼付した例であるが、図４（ａ）のように、表板２２の周縁部全てを切り欠いて周縁部全体にわたって片面粘着テープ３０を貼付してもかまわない。さらに、図４（ｂ）に示すように、平面形状が矩形の抜型２０の四隅において、表板２２を切り欠いて、露出した裏板２１の表面を跨ぐように片面粘着テープ３０を貼付しても良い。
【００１９】
また、図１，図３に示した形態では、表板２２と裏板２１とを互いに接着している両面粘着テープ２４が打ち抜き刃２３と裏板２１との間にも介在しているが、図５に示すように、打ち抜き刃２３を避けるように両面粘着テープ２４を配置することが好ましい。このように、打ち抜き刃２３と裏板２１との間に両面粘着テープ２４が介在せず、打ち抜き刃２３が直接裏板２１に当接する構成とすることにより、両面粘着テープ２４に起因する高さムラが解消され、安定した高さ精度が得られ、シール等の半抜きを行う際に好ましく用いられる。尚、図５には、図３の形態において、両面粘着テープ２４を打ち抜き刃２３を避けて配置した例を示したが、同様に、図１の形態においても係る構成を適用することができる。
【００２０】
上記実施形態においては、打ち抜き刃２３が表板２２のみを貫通している形態を示したが、本考案ではこれに限定されず、図６に示すように、打ち抜き刃２３が裏板２１も貫通している形態にも好ましく適用される。尚、図６は係る形態の断面図であり、平面図は図１（ａ）と同様である。本形態に示した抜型２０は、図２〜図５の抜型２０としても好ましく用いられる。
【００２１】
上記実施形態においては、抜型としてゼンマイ刃型或いはトムソン刃型を用いた例を示したが、本考案では、エッチング刃型（腐食刃型）も好ましく用いられる。図７に示すように、エッチング刃型の抜型４０は、ベース部４１と打ち抜き刃部４２とが一体で形成されており、一般的にベース部４１が１ｍｍ前後と非常に薄いため、片面粘着テープ３０を貼付する際に段差が小さく、貼付作業が容易である。本形態に示した抜型２０は、図２の抜型２０としても好ましく用いられる。
【００２２】
上記に挙げた実施形態では、平面形状が矩形の抜型を例示したが、本考案では形状は限定されない。例えば、矩形以外の多角形、或いは、円形や楕円形、端辺の一部に曲線を含む形状であっても好ましく適用される。
【符号の説明】
【００２３】
１０：チェース、２０，４０：抜型、２１：裏板、２２：表板、２３：打ち抜き刃、２４：両面粘着テープ、３０：片面粘着テープ、４１：ベース部、４２：打ち抜き刃部
【図１】
0003197991.tif 000003
【図２】
0003197991.tif 000004
【図３】
0003197991.tif 000005
【図４】
0003197991.tif 000006
【図５】
0003197991.tif 000007
【図６】
0003197991.tif 000008
【図７】
0003197991.tif 000009